(57)【要約】【課題】配管カバーの組み立て時に、組立補助具としても利用できる梱包部材を提供する。【解決手段】梱包体には、給湯器の配管カバー１０の構成部品と共に、衝撃吸収材としてのスリットパット４１が収納されている。配管カバー１０は平面視コの字型であり、外壁１１，１２、各種アングル部材１５〜１７、前面壁等を構成部品とする。作業者は、配管カバー１０の組立作業を行う際、スリットパット４１を山型に折り曲げて組立補助具を組み立てる。スリットパット４１には、外壁１１，１２を差し込んで保持させる為のスリット５２，５３が設けられている。スリット５２，５３の離間幅は、完成品である配管カバー１０における外壁１１，１２の離間幅と同一幅である。よって、作業者は、スリットパット４１に支持された外壁１１，１２に対して、直接、各種アングル部材１５〜１７を固定できる。【選択図】図１０
2015081094.tif 000002
【特許請求の範囲】
【請求項１】
給湯器の配管を覆うコの字型の配管カバーを構成する一対の外板と、該一対の外板の間に固定される前板とを梱包する段ボール製の梱包部材であって、
矩形の平板状で、且つ段ボール製の平板部を有し、
前記平板部は、
前記平板部を山型に折り曲げ可能な第一罫線と、
前記第一罫線に直交し、且つ前記第一罫線の長手方向に互いに離間して設けられ、前記平板部を前記第一罫線に沿って山型に折り曲げた状態で、前記一対の外板を夫々差し込み可能な一対のスリットと
を備え、
前記一対のスリットの離間幅は、前記配管カバーを組み立てた状態の前記一対の外板の離間幅と同一であることを特徴とする梱包部材。
【請求項２】
前記平板部は、
前記第一罫線を自身の中央部に備え、
前記一対のスリット間において、自身のＨ形状の中央の横線を前記第一罫線上に配置したＨ形状の切断線と、
前記切断線のうち前記横線に対応する第一部位に設けられ、該第一部位に直交する方向においてパズル状に嵌め合わされた凸部及び凹部と、
前記平板部を前記切断線に沿って互いに分離して折り曲げ可能な一対の小片部のうち、前記凹部を一端部に有する第一小片部の該一端部とは反対側の他端部に設けられ、前記凸部を差し込み可能な差し込み部と
を備え、
前記平板部を前記第一罫線に沿って山型に折り曲げると共に、前記切断線に沿って分離した前記一対の小片部を互いに近づく側に折り曲げ、前記第一小片部の上に、前記凸部を一端部に有する第二小片部を重ね合わせ、さらに、前記凸部を前記差し込み部に差し込むことによって、前記平板部を山型に保持することを特徴とする請求項１に記載の梱包部材。
【請求項３】
前記平板部において、前記切断線のうち前記第一部位の両側に夫々直交して位置する一対の第二部位の夫々互いに対向する両端間を直線で夫々結んだ位置には、前記一対の小片部を折り曲げ可能とする第二罫線が夫々設けられ、
前記差し込み部は、前記第一小片部を折り曲げ可能とする前記第二罫線よりも前記凹部側に、前記段ボールの厚み分ずれた位置に設けられたことを特徴とする請求項２に記載の梱包部材。
【発明の詳細な説明】
【技術分野】
【０００１】
本発明は、配管カバーを梱包する梱包部材に関する。
【背景技術】
【０００２】
従来、給湯器の下部に略コの字型の配管カバーを取り付け、給湯器の下部から下方に延びる給湯管及びガス管等の各種配管を覆い隠すことによって、給湯器の下部の見栄えを良好に保つことが一般的に行われている。例えば、特許文献１が開示する配管カバーは、配管カバーの右側壁及び左側壁を構成する左右一対の外板と、これら一対の外板の間に水平に渡される固定梁部と、該固定梁部の前面に着脱可能に固定される前面壁とで構成され、全体が略コの字型に形成されている。これら各種部品は、段ボール等の梱包部材にひとまとめに梱包して出荷され、施工現場に運搬される。施工業者は梱包部材から各種部品を取り出し、工具を使って各種部品を螺子で互いに締結し、略コの字型の配管カバーを組み立て、給湯器の下部に取り付ける。
【先行技術文献】
【特許文献】
【０００３】
【特許文献１】特開２００７−３２９４０号公報
【発明の概要】
【発明が解決しようとする課題】
【０００４】
しかしながら、各種部品の安定性が悪いため、配管カバーを組み立てづらいという問題点があった。さらに、組み立てづらさから、作業途中で各種部品が傷ついてしまうと、配管カバーの美感が損なわれるという問題点もあった。
【０００５】
本発明の目的は、配管カバーの組み立て時に、組立補助具としても利用できる梱包部材を提供することである。
【課題を解決するための手段】
【０００６】
本発明の請求項１に係る梱包部材は、給湯器の配管を覆うコの字型の配管カバーを構成する一対の外板と、該一対の外板の間に固定される前板とを梱包する段ボール製の梱包部材であって、矩形の平板状で、且つ段ボール製の平板部を有し、前記平板部は、前記平板部を山型に折り曲げ可能な第一罫線と、前記第一罫線に直交し、且つ前記第一罫線の長手方向に互いに離間して設けられ、前記平板部を前記第一罫線に沿って山型に折り曲げた状態で、前記一対の外板を夫々差し込み可能な一対のスリットとを備え、前記一対のスリットの離間幅は、前記配管カバーを組み立てた状態の前記一対の外板の離間幅と同一であることを特徴とする。
【０００７】
また、請求項２に係る発明の梱包部材は、請求項１に記載の発明の構成に加え、前記平板部は、前記第一罫線を自身の中央部に備え、前記一対のスリット間において、自身のＨ形状の中央の横線を前記第一罫線上に配置したＨ形状の切断線と、前記切断線のうち前記横線に対応する第一部位に設けられ、該第一部位に直交する方向においてパズル状に嵌め合わされた凸部及び凹部と、前記平板部を前記切断線に沿って互いに分離して折り曲げ可能な一対の小片部のうち、前記凹部を一端部に有する第一小片部の該一端部とは反対側の他端部に設けられ、前記凸部を差し込み可能な差し込み部とを備え、前記平板部を前記第一罫線に沿って山型に折り曲げると共に、前記切断線に沿って分離した前記一対の小片部を互いに近づく側に折り曲げ、前記第一小片部の上に、前記凸部を一端部に有する第二小片部を重ね合わせ、さらに、前記凸部を前記差し込み部に差し込むことによって、前記平板部を山型に保持することを特徴とする。
【０００８】
また、請求項３に係る発明の梱包部材は、請求項２に記載の発明の構成に加え、前記平板部において、前記切断線のうち前記第一部位の両側に夫々直交して位置する一対の第二部位の夫々互いに対向する両端間を直線で夫々結んだ位置には、前記一対の小片部を折り曲げ可能とする第二罫線が夫々設けられ、前記差し込み部は、前記第一小片部を折り曲げ可能とする前記第二罫線よりも前記凹部側に、前記段ボールの厚み分ずれた位置に設けられたことを特徴とする。
【発明の効果】
【０００９】
請求項１に係る発明の梱包部材は、平板部に設けたスリットの間隔が一対の外板のピッチに対応しているので、給湯器用配管カバーを組み立てる際に、一対の外板を一対のスリットに差し込んで支持させることによって、必要な間隔で且つ立った状態で一対の外板を保持できる。これにより、組立時に作業者が外板を保持する必要が無くなる。例えば、ビス等の締結で前板を組み付ける際の組立易さの向上に大きく寄与する。また、組立時に各部材が安定するので、転倒などによる部材の損傷を防止できる。さらに平板部は梱包状態では平板状であるので、省スペース梱包が可能である。また、平板部は段ボール製であり、通常、梱包部材に同梱される補強板として用いられるので、１つの部材で２つの効果を果たすことができる。よって、使用後のごみを増やすことなく、製品に付加価値を付与することができる。
【００１０】
また、請求項２に係る発明の梱包部材は、請求項１に記載の発明の効果に加え、平板部を山型形状に安定して保持できる。
【００１１】
また、請求項３に係る発明の梱包部材は、請求項２に記載の発明の効果に加え、平板部には一対の小片部を折り曲げ可能とする第二罫線が設けられているので、一対の小片部を折り曲げる際の作業性が向上する。さらに、差し込み部は、第二罫線よりも凹部側に、段ボールの厚み分ずれた位置に設けられているので、差し込み部の奥まで凸部を差し込むことができる。これにより、第二小片部が浮き上がらず、平板部の開度が保持されるので、平板部を安定した山型に保持できる。
【図面の簡単な説明】
【００１２】
【図１】壁面２に取り付けられた給湯器１及び配管カバー１０の斜視図である。
【図２】配管カバー１０の斜視図である。
【図３】梱包体３０の斜視図である。
【図４】梱包体３０の上板部３２を開いた状態を示す斜視図である。
【図５】梱包体３０に収納される各種構成部品等の梱包順序を示す斜視図である。
【図６】スリットパット４１の平面図である。
【図７】スリットパット４１の組立工程図である。
【図８】図７のステップ（３）における差し込み穴２８周囲の部分拡大図である。
【図９】スリットパット４１のスリット５２，５３に外板１１，１２を差し込んで保持させた状態を示す斜視図である。
【図１０】スリットパット４１に保持した外板１１，１２に各種アングル部材１５〜１７を固定した状態を示す斜視図（前面壁１３は省略）である。
【発明を実施するための形態】
【００１３】
以下、本発明の一実施形態である梱包体３０について、図面を参照して説明する。先ず、梱包体３０（図３参照）に梱包される配管カバー１０について説明する。図１に示すように、配管カバー１０は、家屋等の壁面２に固定された給湯器１の下部に取り付けられ、給湯器１の下部に接続された図示しないガス管、給水管、給湯管等の各種配管を覆い隠すものである。
【００１４】
図１，図２を参照し、配管カバー１０の構造について説明する。配管カバー１０は、全体が軽量で丈夫な金属で形成されている。配管カバー１０は、一対の外壁１１，１２、前面壁１３、上側アングル部材１５、下側アングル部材１６、補強アングル部材１７で構成され、全体が平面視略コの字型に組み立てられている。なお、大きさの一例としては、略コの字型に組み立てられた状態で、横４７０ｍｍ×高さ６００ｍｍ×奥行き２５０ｍｍである。
【００１５】
図２に示すように、外壁１１，１２は、縦長長方形状の板金であり、給湯器１の横幅に合わせて互いに離間し且つ対向した位置関係で夫々立設されている。本実施形態では、外壁１１，１２の離間幅をＬ１とする。上側アングル部材１５は、外壁１１，１２の夫々の前端部の上部の間に水平に渡設され、左右の両端部が螺子２１とナット（図示略）で夫々固定されている。上側アングル部材１５の左右両端側には、前後方向に貫通する固定穴１５Ａ，１５Ｂが各々設けられている。
【００１６】
下側アングル部材１６は、外壁１１，１２の夫々の前端部の下部の間に水平に渡設され、左右の両端部が螺子２２とナット（図示略）で夫々固定されている。下側アングル部材１６の左右両端側には、上方に突出する側面視Ｌ字状の係止爪１６Ａ，１６Ｂが各々設けられている。補強アングル部材１７は、外壁１１，１２の夫々の後端部の下部の間に水平に渡設され、左右の両端部が螺子２３とナット（図示略）で夫々固定されている。そして、上側アングル部材１５、下側アングル部材１６及び補強アングル部材１７によって、外壁１１，１２の離間幅Ｌ１が確保されている。また、上側アングル部材１５及び下側アングル部材１６によって、配管カバー１０の前面に矩形状の開口が形成される。開口は給湯器１の各種配管の点検及び修理をする際に使用される。さらに、補強アングル部材１７によって、配管カバー１０の剛性が補強されている。なお、以下説明にて、上側アングル部材１５，下側アングル部材１６，及び補強アングル部材１７を総称する場合は、各種アングル部材１５〜１７と呼ぶことにする。
【００１７】
図２に示すように、前面壁１３は、正面視縦長長方形状の板金であり、配管カバー１０の開口する前面を覆い隠すようにして、着脱可能に固定される。前面壁１３の上端部の左右両側には、前後方向に貫通する固定穴１３Ａ，１３Ｂが夫々設けられている。さらに、前面壁１３の下端部の左右両側には、上方に陥入する一対の差込穴（図示略）が夫々設けられている。
【００１８】
前面壁１３を配管カバー１０の前面に取り付ける場合、先ず、前面壁１３の下端部を下側アングル部材１６に合わせ、前面壁１３の下端部に設けられた一対の差込穴に、下側アングル部材１６に設けられた一対の係止爪１６Ａ，１６Ｂを差し込んで係止させる。これにより、前面壁１３の下端部の位置が固定されるので、そのまま前面壁１３の姿勢を上下方向に立てる。これにより、配管カバー１０の前面が前面壁１３で覆われるので、前面壁１３の上端部に設けられた一対の固定穴１３Ａ，１３Ｂを、上側アングル部材１５に設けられた一対の固定穴１５Ａ，１５Ｂに合わせ、螺子２４とナット（図示略）で夫々固定する。これにより、配管カバー１０の前面に前面壁１３が取り付けられる（図１参照）。
【００１９】
図３〜図５を参照して、配管カバー１０の梱包体３０について説明する。図３に示すように、梱包体３０は段ボールで形成された直方体状の箱体であり、配管カバー１０の各種構成部品を夫々分離した状態で梱包したものである。梱包体３０は、例えばラウンドアップケースを採用でき、図４に示すように、底板部３１上に載置された各構成部品及び緩衝材等を包み込むように、上板部３２を覆い被せ、３枚のフラップ３３を２箇所ずつガムテープ３５で底板部３１に対して夫々固定している（図４，図５参照）。なお、フラップ３３の固定はガムテープ以外に、例えば接着剤、ステープラー等でも可能である。また、梱包体３０の全周をバンドで固定してもよい。
【００２０】
次に、梱包体３０を開放して、各種構成部品を取り出すまでの作業について説明する。図３に示すように、先ず、梱包体３０を地面に載置し、３枚のフラップ３３を夫々固定していた６カ所のガムテープ３５を全て剥がし、図４に示すように、上板部３２を開く。すると、梱包体３０の底板部３１上に載置された配管カバー１０の各種構成部品等が表出する。
【００２１】
図５に示すように、底板部３１上には、配管カバー１０の各種構成部品が一組のスリットパット４１，４４に上下から挟まれた状態で載置されている。スリットパット４１，４４は、段ボールで成形した矩形状の板材であり、各種構成部品と一緒に梱包体３０に梱包することによって、各種構成部品を外部衝撃から守る衝撃吸収材として機能することに加え、後述するように、配管カバー１０を組み立てる際の組立補助具としても機能する。底板部３１上には、下から、スリットパット４１、ポリシート４２、一対の外壁１１，１２、アングル収納箱４５、前面壁１３、スリットパット４４の順に一つ一つ積み重ねられている。アングル収納箱４５には、各種アングル部材１５〜１７が夫々収納されている。前面壁１３はポリ袋４３に収納された状態で、外壁１１，１２上に載置されている。なお、ポリシート４２及びポリ袋４３は各種部品同士の接触による損傷を防止するものである。
【００２２】
作業者は、梱包体３０からこれら各種構成部品等を取り出し、配管カバー１０の組み立て作業を行う。なお、本実施形態では、梱包体３０に同梱されていたスリットパット４１（又は４４）を、後述する所定形状に組み立てることによって、配管カバー１０の組立補助具として利用できる。
【００２３】
図６を参照し、スリットパット４１，４４の構造を説明する。なお、スリットパット４１，４４は互いに同一品であるので、ここではスリットパット４１の構造について説明する。説明の便宜上、図６の右方、左方、下方、上方を、夫々、スリットパット４１の右方、左方、前方、後方とする。
【００２４】
スリットパット４１は、平面視矩形状の段ボール製の平板材である。スリットパット４１の左右の幅方向中央部には、山型に折り曲げ可能な罫線５１が設けられている。なお、罫線とは、段ボールが所定位置で綺麗に折り曲がるように、該所定位置に加工する段を潰した線、折線のことである。罫線５１は、スリットパット４１の上下の両端部に対して略平行である。スリットパット４１の罫線５１よりも上側は支持部６１、罫線５１よりも下側は支持部６２である。支持部６１及び支持部６２は、スリットパット４１を罫線５１に沿って山型に折り曲げた際に地面に接地する一対の脚部である。さらに、スリットパット４１には、罫線５１に直交し、且つ罫線５１の長手方向に互いに離間した位置に、一対のスリット５２，５３が設けられている。ここで、スリット５２，５３の離間幅は、配管カバー１０の外壁１１，１２の離間幅と同じＬ１である。
【００２５】
また、一対のスリット５２，５３の間には、アルファベットの「Ｈ」形状の切断線５４が設けられている。切断線５４はスリットパット４１に入れられた切り込みであり、厚み方向に貫通している。切断線５４は、「Ｈ」の中央の横線に対応する横線部位５４Ａと、「Ｈ」の左右一対の縦線に対応する縦線部位５４Ｂ，５４Ｃとに夫々分けられる。横線部位５４Ａは罫線５１上に位置し、縦線部位５４Ｂと縦線部位５４Ｃは罫線５１に直交する。横線部位５４Ａの長手方向中央には、該横線部位５４Ａに直交する方向においてパズル状に嵌め合わされた凸部６６及び凹部６７が設けられている。そして、切断線５４によって、横線部位５４Ａに直交する方向に一対の小片部６４，６５が夫々形成されている。凸部６６を先端部に有する方が小片部６４、凹部６７を先端部に有する方が小片部６５である。
【００２６】
そして、小片部６４の先端部とは反対側の他端部であって、切断線５４の縦線部位５４Ｂの上端部と縦線部位５４Ｃの下端部との間には、小片部６４を折り曲げ可能な罫線５６が設けられている。また、小片部６５の先端部とは反対側の他端部であって、切断線５４の縦線部位５４Ｂの下端部と縦線部位５４Ｃの上端部との間にも、小片部６５を折り曲げ可能な罫線５７が設けられている。さらに、その罫線５７の長手方向中央で且つ凹部６７側に、凸部６６の厚み分だけずれた位置に、凸部６６を差し込み可能な長孔である差し込み部５８が設けられている。
【００２７】
図７を参照し、スリットパット４１の組立工程について説明する。スリットパット４１を配管カバー１０の組立補助具として使用する為に、図７に示すステップ（１）〜（５）に従って、下記のように、スリットパット４１を順に組み立てる。
【００２８】
先ず、ステップ（１）に示すように、梱包体３０からスリットパット４１を取り出す。次いで、ステップ（２）に示すように、スリットパット４１を罫線５１に沿って山型に折り曲げる。支持部６１及び６２の各下端部が地面に接地し、脚部を形成する。この状態では、切断線５４の横線部位５４Ａの長手方向中央において、凸部６６が凹部６７と分離して斜め上方に突出する。
【００２９】
次に、ステップ（３）に示すように、小片部６５を罫線５７に沿って、小片部６４に近づく側に略水平に折り曲げる。上記の通り、差し込み部５８は、段ボールである凸部６６の厚みを考慮し、罫線５７よりも小片部６５の先端側にずれた位置に設けられているので、小片部６５を折り曲げることで、図８に示すように、差し込み部５８の開口を上方に向けることができる。これにより、下方に折り曲げた凸部６６の延長線上に、差し込み部５８を位置させることができる。
【００３０】
そして、ステップ（４）に示すように、小片部６４を、罫線５６（図６参照）に沿って、小片部６５の上面に折り重なるようにして略水平に折り曲げ、差し込み部５８に対して凸部６６を差し込む。凸部６６の延長線上に差し込み部５８が配置されているので、凸部６６を根元まで差し込み部５８に差し込むことができる。これにより、小片部６４の浮き上がりを防止でき、且つ小片部６４を小片部６５に密着させることができる。そして、ステップ（５）に示すように、支持部６１，６２の開度は小片部６４と６５によって強固に固定されるので、スリットパット４１を山型形状に安定して保持できる。こうして、組立補助具としてのスリットパット４１が完成する。
【００３１】
図９，図１０を参照し、スリットパット４１を組立補助具として用いる配管カバー１０の組立作業について説明する。作業者は、配管カバー１０の施工現場にて、先ず、梱包体３０からスリットパット４１を取り出し、組立補助具として使用する為に、上記のように山型に組み立てる（図７参照）。そして、山型形状のスリットパット４１を、稜線である罫線５１を上方に向けた状態で地面に載置する。
【００３２】
次いで、配管カバー１０の各種構成部品のうち外壁１１，１２を取り出し、図９に示すように、配管カバー１０を組み立てた状態で前面が上方となるように、スリットパット４１の一対のスリット５２，５３に対して、外壁１１，１２を夫々差し込む。上記の通り、スリット５２，５３の離間幅は、組み立て後の配管カバー１０における外壁１１，１２の離間幅と同じＬ１である。よって、図１０に示すように、作業者は、スリットパット４１に支持された外壁１１，１２に対して、姿勢や向きを変えることなく、直接、アングル部材１５〜１７を螺子２１〜２３で夫々固定できる。つまり、作業者は、安定性の悪い外壁１１，１２を、組み立て後の離間幅Ｌ１で起立させた状態でスリットパット４１に保持できるので、外壁１１，１２を持つ必要が無いことに加え、外壁１１，１２の位置を離間幅Ｌ１に調整する必要も無いので、従来に比して、配管カバー１０の組立作業の効率性と迅速性を向上できる。
【００３３】
さらに、外壁１１，１２をスリットパット４１に安定して支持させることができるので、組立作業中に、外壁１１，１２を落下、又は他部品に衝突させる等によって、外壁１１，１２の表面が損傷するのを防止できる。これにより、組み立て後の配管カバー１０の美感が損なわれるのを防止できる。
【００３４】
なお、本実施形態では、スリットパット４１を山型に折り曲げて組立補助具として使用する例を説明したが、スリットパット４４を組立補助具として用いてもよい。また、複数の配管カバーを梱包する梱包体の場合、スリットパット４１，４４の両方を山型に折り曲げて夫々を組立補助具として用いてもよい。
【００３５】
上記説明において、給湯器１が本発明の「給湯器」に相当し、配管カバー１０が本発明の「配管カバー」に相当し、一対の外壁１１，１２が本発明の一対の「外板」に相当し、各種アングル部材１５〜１７、及び前面壁１３が本発明の「前板」に相当し、梱包体３０が本発明の「梱包部材」し、スリットパット４１，４４が本発明の「平板部」に相当し、罫線５１が本発明の「第一罫線」に相当し、一対のスリット５２，５３が本発明の「一対のスリット」に相当し、切断線５４が本発明の「切断線」に相当し、横線部位５４Ａが本発明の「第一部位」に相当し、縦線部位５４Ｂと縦線部位５４Ｃが本発明の「一対の第二部位」に相当し、小片部６５が本発明の「第一小片部」に相当し、小片部６４が本発明の「第二小片部」に相当し、凸部６６が本発明の「凸部」に相当し、凹部６７が本発明の「凹部」に相当し、差し込み部５８が本発明の「差し込み部」に相当し、罫線５６，５７が本発明の「第二罫線」に相当する。
【００３６】
以上説明したように、本実施形態の梱包体３０は、給湯器１の配管カバー１０を各種構成部品に分離した状態で梱包したものである。梱包体３０には、各種構成部品と共に、衝撃吸収材としてのスリットパット４１，４４が収納されている。配管カバー１０は平面視コの字型であり、その構成部品は、一対の外壁１１，１２、各種アングル部材１５〜１７、前面壁１３壁等である。作業者は、梱包体３０から各種構成部品等を取り出し、配管カバー１０の組立作業を行う。その際、作業者は、スリットパット４１を山型に折り曲げて組立補助具を組み立てる。組立補助具としてのスリットパット４１には、外壁１１，１２を差し込んで保持させる為の一対のスリット５２，５３が設けられている。そして、スリット５２，５３の離間幅は、完成品である配管カバー１０における外壁１１，１２の離間幅Ｌ１と同一幅である。よって、作業者は、スリットパット４１に支持された外壁１１，１２に対して、直接、上側アングル部材１５、下側アングル部材１６、補強アングル部材１７を螺子２１〜２３で夫々固定できるので、配管カバー１０の組立作業の効率性と迅速性を向上できる。
【００３７】
また、梱包体３０では、衝撃吸収材として機能するスリットパット４１，４４を、配管カバー１０の組立補助具として再利用できるので、ゴミを増やすことなく、製品に付加価値を加えることができる。
【００３８】
また、スリットパット４１，４４は、梱包体３０における梱包状態では、平板形状であるので、省スペースでの梱包が可能である。
【００３９】
なお、本発明は上記実施形態に限定されるものではなく、種々の変更が可能である。例えば、上記実施形態では、スリットパット４１，４４の形状は矩形状であるが、山型に折り曲げた状態で自立可能な形状であれば、矩形以外の形状でもよい。
【００４０】
また、上記実施形態では、スリットパット４１，４４は、梱包体３０に梱包される独立した衝撃吸収材であるが、例えば、梱包体３０の底板部３１、上板部３２、又はフラップ等の部位を切り離し可能とし、該部位に、上記の罫線５１、スリット５２，５３、切断線５４等を設け、組立補助具として用いてもよい。
【００４１】
また、上記実施形態では、罫線５１をスリットパット４１，４４の中央に設けているが、山型に折り曲げた状態で自立可能であれば、中央よりも片側にずれていてもよい。
【００４２】
また、上記実施形態では、スリットパット４１を中央で折り曲げ可能とする為に、罫線５１を設けているが、罫線の代わりに、山折りの位置を示す点線等を印刷してもよい。
【００４３】
また、上記実施形態の罫線５１，５６，５７は省略してもよく、例えば、罫線の代わりに点線等の印刷や、ミシン目等を施してもよい。
【符号の説明】
【００４４】
１      給湯器
１０      配管カバー
１１，１２      外壁
１３      前面壁
１５      上側アングル部材
１６      下側アングル部材
３０      梱包体
４１，４４      スリットパット
５１，５６，５７      罫線
５２，５３      スリット
５４      切断線
５４Ａ    横線部位
５４Ｂ，５４Ｃ    縦線部位
５８      差し込み部
６４，６５      小片部
６６      凸部
６７      凹部
【図１】
2015081094.tif 000003
【図２】
2015081094.tif 000004
【図３】
2015081094.tif 000005
【図４】
2015081094.tif 000006
【図５】
2015081094.tif 000007
【図６】
2015081094.tif 000008
【図７】
2015081094.tif 000009
【図８】
2015081094.tif 000010
【図９】
2015081094.tif 000011
【図１０】
2015081094.tif 000012